(57)【要約】      （修正有）【課題】対人間の距離を容易に把握できる距離測定発光装置を提供する。【解決手段】距離測定発光装置１は、利用者が着用するベルト１９と、ベルトが利用者に着用されたとき利用者を取り囲むように配置され、対象物との距離を検出する複数の超音波センサと、複数の超音波センサに対応して設けられ、ベルトが利用者に着用されたとき利用者を取り囲むように配置され、超音波センサの検出した距離に応じて異なる色を発光するＬＥＤとを有するセンサ部１１〜１８と、を有する。【選択図】図１
0003228827.tif 000002
【実用新案登録請求の範囲】
【請求項１】
利用者が着用するベース部と、
前記ベース部が利用者に着用されたとき前記利用者を取り囲むように配置され、対象物との距離を検出する複数のセンサと、
前記複数のセンサに対応して設けられ、前記ベース部が利用者に着用されたとき前記利用者を取り囲むように配置され、前記センサの検出した距離に応じてそれぞれ異なる色を発光する発光部と、
を有することを特徴とする距離測定発光装置。
【請求項２】
前記ベース部が利用者に着用されたときの前記利用者と前記各センサの位置関係を予め記憶する記憶部と、
前記記憶部を参照し対象物を検出したセンサに応じて前記対象物の位置を示す音声をスピーカから出力させる制御部とをさらに有する請求項１に記載の距離測定発光装置。
【考案の詳細な説明】
【技術分野】
【０００１】
本考案は距離測定発光装置に関する。
【背景技術】
【０００２】
聴覚障害者にも有効な車両接近警告送信装置、受信装置が知られている。例えば、車両から送信される変調光を受光して光強度に応じた電気信号を出力する光センサー手段と、電気信号から変調信号を検出する復調手段と、復調手段によって検出された変調信号の有無を判定する判定手段と、変調信号が検出された場合に音声出力手段、振動出力手段、有線出力手段、無線出力手段の内の少なくとも１つの手段で情報を出力する出力手段とを備えた車両接近警告受信装置が知られている。
【先行技術文献】
【特許文献】
【０００３】
【特許文献１】特開２０１１−１２８６７１号公報
【考案の概要】
【考案が解決しようとする課題】
【０００４】
新型コロナウイルスの世界的な流行に伴い、対人間で一定の距離を保つソウシャル・ディスタンス（Social Distance）が推奨されている。この距離を容易に把握できれば便宜である。
１つの側面では、本考案は、対人間の距離を容易に把握できることを目的とする。
【課題を解決するための手段】
【０００５】
上記目的を達成するために、開示の距離測定発光装置が提供される。この距離測定発光装置は、利用者が着用するベース部と、ベース部が利用者に着用されたとき利用者を取り囲むように配置され、対象物との距離を検出する複数のセンサと、複数のセンサに対応して設けられ、ベース部が利用者に着用されたとき利用者を取り囲むように配置され、センサの検出した距離に応じてそれぞれ異なる色を発光する発光部と、を有している。
【考案の効果】
【０００６】
１態様では、対人間の距離を容易に把握できる。
【図面の簡単な説明】
【０００７】
【図１】実施の形態の距離測定発光装置を示す図である。
【図２】センサ部の一例を示す図である。
【図３】コントローラ周辺を説明する図である。
【図４】実施の形態のコントローラのハードウェア構成の一例を示す図である。
【図５】変形例の距離測定発光装置を説明する図である。
【考案を実施するための形態】
【０００８】
以下、実施の形態の距離測定発光装置を、図面を参照して詳細に説明する。
＜実施の形態＞
図１は、実施の形態の距離測定発光装置を示す図である。
実施の形態の距離測定発光装置１は、センサ部１１〜１８と、ベルト１９とバックル２０とを有している。
図２は、センサ部の一例を示す図である。一例としてセンサ部１１の構成を説明するが、センサ部１２〜１８もセンサ部１１と同様の構造をなしている。
センサ部１１は、超音波センサ１１ａとＬＥＤ１１ｂとを有している。
超音波センサ１１ａは、対象物（物や人間）との距離を検出する。センサの種別は超音波に限らず赤外線やミリ波等を使用することもできる。
ＬＥＤ１１ｂは、超音波センサ１１ａを取り囲むような形状をなしており、後述するコントローラからの指示に応じた色を発光する。
ベルト１９は、距離測定発光装置１の利用者が着用する被服（ベース部）の一例である。被服以外にも履物等であってもよい。
【０００９】
利用者がベルト１９を着用したときにセンサ部１１〜１８は、周方向（水平方向）に向けて約４５度間隔で利用者を取り囲むように配置されている。このため、センサ部１１〜１８は、距離測定発光装置１の利用者の周囲８方向の障害物との距離を検出することができる。本実施の形態ではセンサ部の数は８個であるが、センサ部の数は特に限定されない。
【００１０】
図３は、コントローラ周辺を説明する図である。図３は紙面手前側が内側（着用者の衣服と接触する側）であり、紙面奥側が外側である。
バックル２０は、コントローラ２１と電池２２とを有している。
センサ部１１〜１８とコントローラ２１とは、ベルト１９に埋め込まれる電線２３により電気的に接続されている。
電池２２は、本実施の形態では薄型リチウム蓄電池であり、センサ部１１〜１８およびコントローラ２１に電力を供給する。
【００１１】
また、バックル２０の表面には小型のソーラーパネル２４が配置されている。ソーラーパネル２４は、太陽光により得られるエネルギーを電池２２に充電する。また、バックル２０は図示しないＵＳＢコネクタを有しており、このＵＳＢコネクタを通じて電池２２に充電することもできる。なお、コネクタの種別はＵＳＢコネクタに限定されない。
【００１２】
コントローラ２１は、センサ部１１〜１８からの情報を処理し、ＬＥＤの発光と音声ガイド（スピーカ接続時）で、利用者に対し、ソウシャル・ディスタンスが維持できるようにする。具体的には、コントローラ２１は、各超音波センサにより検出した対象物との距離に応じた色を発光するよう各ＬＥＤにそれぞれ指示する。各ＬＥＤは、コントローラ２１からの指示に応じた色を発光する。例えば余裕のある距離（例えば２ｍ以上）の場合は緑色が点灯し、注意すべき距離（例えば１ｍ以上２ｍ未満）の場合は黄色が点灯し、危険な距離（例えば１ｍ未満）の場合は赤色が点滅するようにする。なお、発光する色の種類や色の数は特に限定されない。また、コントローラ２１にスピーカが接続されていてもよい。
【００１３】
図４は、実施の形態のコントローラのハードウェア構成の一例を示す図である。
コントローラ２１は、ＣＰＵ（Central Processing Unit）２０１によって装置全体が制御されている。
ＣＰＵ２０１には、バス２０５を介してＲＡＭ（Random Access Memory）２０２と複数の周辺機器が接続されている。
ＲＡＭ２０２は、コントローラ２１の主記憶装置として使用される。ＲＡＭ２０２には、ＣＰＵ２０１に実行させるＯＳ（Operating System）のプログラムやアプリケーションプログラムの少なくとも一部が一時的に格納される。また、ＲＡＭ２０２には、ＣＰＵ２０１による処理に使用する各種データが格納される。
バス２０５には、内蔵メモリ２０３、および通信インタフェース２０４が接続されている。
【００１４】
内蔵メモリ２０３は、データの書き込みおよび読み出しを行う。内蔵メモリ２０３は、コントローラ２１の二次記憶装置として使用される。内蔵メモリ２０３には、ＯＳのプログラム、アプリケーションプログラム、および各種データが格納される。なお、内蔵メモリとしては、例えばフラッシュメモリ等の半導体記憶装置が挙げられる。
【００１５】
通信インタフェース２０４は、ネットワーク５０に接続されている。通信インタフェース２０４は、ネットワーク５０を介して、他のコンピュータまたは通信機器との間でデータを送受信する。通信インタフェース２０４はブルートゥース（Bluetooth）（登録商標）等の近距離無線通信手段の機能を有していてもよい。
以上のようなハードウェア構成によって、本実施の形態の処理機能を実現することができる。
【００１６】
以下、距離測定発光装置１の使用例（一例）を説明する。
利用者は、予めベルト１９を腰に装着する。人々が往来する場所等で歩くと、センサ部１１〜１８が有する超音波センサが、利用者の前後左右の通行人との距離を検出し、ＬＥＤの発光により利用者に報知する。これにより利用者は、通行人との距離を認識できる。
【００１７】
前述したように、本実施の形態では各ＬＥＤは通行人と余裕のある距離の場合は緑色が点灯し、注意すべき距離の場合は黄色が点灯し、危険な距離の場合は赤色が点滅する。例えば、前方の対象物との距離が１ｍ以内の場合はセンサ部１１、１２、１８のＬＥＤが赤色となり、それ以外のセンサ部１３〜１７のＬＥＤが緑色となる。
【００１８】
利用者にはＬＥＤの発光状態が見えない背後（斜め右後左後も含む）から接近して来る人（接近者）に対しても、例えばセンサ部１４〜１６の超音波センサが反応してセンサ部１４〜１６のＬＥＤが黄色や赤色に発光するので、接近者に対しても利用者との距離が近いことを報知することができる。これにより、お互い安全な距離を保つことできる。
【００１９】
また、コントローラ２１は、利用者がベルト１９を装着したときにセンサ部１１〜１８の利用者との位置関係（例えばセンサ部１１は利用者の正面側に配置され、センサ部１５は利用者の背面側に配置される等）を内蔵メモリ２０３に予め記憶しておくこともできる。これにより、例えばコントローラ２１にスピーカを装着した場合、コントローラ２１からスピーカに音声信号を出力することで、ＬＥＤの発光色および対象物の位置に応じた音声をスピーカから出すこともできる。例えばセンサ部１１の超音波センサが反応した場合は、ＬＥＤが赤色に点滅するのに加え、またはＬＥＤが赤色に点滅するのに代えて「前方に近づき過ぎています」や、センサ部１２の超音波センサが反応した場合は、ＬＥＤが赤色に点滅するのに加え、またはＬＥＤが赤色に点滅するのに代えて「右前方に近づき過ぎています」等、利用者がいる場所を基点とした８方向に対して、音声で利用者と対象物（人間や物）との位置や距離に関する情報を知ることができる。これにより、例えば利用者がＬＥＤの発光色を見ることができない盲人であっても、健常者と何ら変わりなく対象物との距離を把握することができる。
【００２０】
またコントローラ２１にブルートゥース（Bluetooth）（登録商標）の機能を付加しておけば、ブルートゥース対応のイヤーホーンを装着することにより、利用者はＬＥＤの発光色に応じた音声を聞くことができる。スマートフォンに予めコントローラ２１からの情報をブルートゥースで受け取れるプログラムをインストールしておけば、音声だけでなく画像での確認も可能となる。
【００２１】
以上述べたように、距離測定発光装置１によれば、利用者が着用するベルト１９と、ベルト１９が利用者に着用されたとき利用者を取り囲むように配置され、対象物との距離を検出する複数の超音波センサと、複数の超音波センサに対応して設けられ、ベルト１９が利用者に着用されたとき利用者を取り囲むように配置され、超音波センサの検出した距離に応じて異なる色を発光するＬＥＤとを有するセンサ部１１〜１８と、を有する。この距離測定発光装置１を多くの人が装着することで、ソウシャル・ディスタンスを容易に確保することができるため、その結果、例えばウイルスの感染防止に役立てることができる。
【００２２】
＜変形例＞
次に、距離測定発光装置１の変形例について説明する。
以下、変形例の距離測定発光装置について、前述した距離測定発光装置１との相違点を中心に説明し、同様の事項については、その説明を省略する。
【００２３】
図５は、変形例の距離測定発光装置を説明する図である。
図５に示す距離測定発光装置１ａは、帽子の構造をなしており、頭に装着できる。この帽子は、距離測定発光装置１の利用者が着用する被服（ベース部）の一例である
距離測定発光装置１ａのトップクラウン部分には、円形のソーラーパネル３１が配置されている。
距離測定発光装置１ａのクラウンの内側には、電池２２とコントローラ２１が配置されている。
距離測定発光装置１ａの円（プリム）には、センサ部１１〜１８が配置されている。
変形例の距離測定発光装置１ａによれば、距離測定発光装置１と同様の効果が得られる。
【００２４】
以上、本考案の距離測定発光装置を、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。例えば、温度センサをさらに付加することにより、対象物が物か人間か（人間であれば約３５℃〜３７℃）を識別してコントローラ２１は人間に近づきすぎていると判断したときにＬＥＤを赤色に変えたりスピーカから音声を出力したりするようにしてもよい。
【符号の説明】
【００２５】
１、１ａ  距離測定発光装置
１１〜１８  センサ部
１９  ベルト
２０  バックル
２１  コントローラ
２２  電池
２３  電線
２４、３１  ソーラーパネル
【図１】
0003228827.tif 000003
【図２】
0003228827.tif 000004
【図３】
0003228827.tif 000005
【図４】
0003228827.tif 000006
【図５】
0003228827.tif 000007